(57)【特許請求の範囲】
【請求項１】
複数の発光素子と、
前記複数の発光素子がマトリクス状に実装された矩形状の発光素子基板と、
前記発光素子基板の前記発光素子が実装される面とは反対側の面を支持する光源支持面の裏面に設けられた複数の放熱フィンと、
前記発光素子基板の前記複数の発光素子が実装される面において、前記複数の発光素子が実装された矩形状の発光素子実装領域を囲むように設けられ、前記複数の発光素子の主出射方向に対して広がる形状を有する反射部材と、
前記反射部材及び前記発光素子実装領域を覆うように設けられ透光性を有するカバーと、
前記複数の放熱フィンを覆う光源ユニット支持部材と、を備え、
前記複数の放熱フィンにおいて、前記発光素子実装領域に対向する位置の放熱フィンの長さが、前記発光素子実装領域外に対向する位置の放熱フィンの長さよりも長く、
前記光源ユニット支持部材は前記複数の放熱フィンの先端に沿って傾斜する前記光源ユニット支持部材の斜面部を備えるとともに、前記斜面部に通気口を有する
ことを特徴とした光源ユニット。
【請求項２】
前記発光素子の長手方向が前記発光素子基板の短手方向に沿って設けられ、且つ、前記発光素子の短手方向が前記発光素子基板の長手方向に沿って設けられる、請求項１に記載の光源ユニット。
【請求項３】
前記複数の発光素子の形状は同一である、請求項１又は２に記載の光源ユニット。
【請求項４】
請求項１〜３のいずれかに記載の光源ユニットを複数備え、
前記複数の光源ユニットの間に設けられ、前記複数の発光素子に電力を供給する電源部を有する、照明装置。
【発明の詳細な説明】
【技術分野】
【０００１】
本開示は、光源ユニット及び照明装置に関する。
【背景技術】
【０００２】
従来、多目的ホールや体育館などの高天井に取り付けられて下方の床面などを照射する高天井用照明器具が知られている（例えば、特許文献１）。
【先行技術文献】
【特許文献】
【０００３】
【特許文献１】特開２０１３−００４１６８号公報
【発明の概要】
【発明が解決しようとする課題】
【０００４】
ところで、高天井用照明器具では、高天井に設置されるので、被照射面の照度を確保するために、光の取り出し効率を向上させるという要求が存在する。
本開示の目的は、光の取り出し効率を向上させた光源ユニット及び照明装置を提供することである。
【課題を解決するための手段】
【０００５】
上記課題を解決するために、本開示の一態様に係る光源ユニットは、矩形状をなす複数の発光素子と、前記複数の発光素子がマトリクス状に実装された矩形状の発光素子基板と、前記発光素子基板の前記発光素子が実装される面と反対側の面に設けられた放熱体と、前記発光素子基板の前記複数の発光素子が実装される面において、前記複数の発光素子が実装された矩形状の発光素子実装領域を囲むように設けられ、前記複数の発光素子の主出射方向に対して広がる形状を有する反射部材と、前記反射部材及び前記発光素子実装領域を覆うように設けられ透光性を有するカバーと、を備え、
前記発光素子１個当たりの消費電力が０．１Ｗ以上、０．７Ｗ以下であり、
前記発光素子実装領域の長手方向の長さは、前記発光素子基板の長手方向の長さの８２％以下であり、前記発光素子実装領域の短手方向の長さは、前記発光素子基板の短手方向の長さの５２％以下である。【０００６】
本開示の一態様によれば、発光素子から出射した光のうち、発光素子から斜め方向に出射した光を効果的に反射部材で反射でき、発光素子の主出射方向側に効率的に光を導くことができる。よって、光の取り出し効率を向上させることが可能となる。
【図面の簡単な説明】
【０００７】
【図１Ａ】本開示の第１実施形態に係る照明装置１を上方から見た全体構成を示す外観斜視図である。
【図１Ｂ】照明装置１の下方向から見た斜視図である。
【図２Ａ】本開示の第１実施形態に係る照明装置１の外観を示す六面図のうちの正面図である。
【図２Ｂ】照明装置１の左側面図である。
【図２Ｃ】照明装置１の右側面図である。
【図２Ｄ】照明装置１の平面図である。
【図２Ｅ】照明装置１の底面図である。
【図３】本開示の第１実施形態に係る照明装置１の構成を示す分解斜視図である。
【図４】本開示の第１実施形態に係る照明装置１に備えられる光源ユニットの外観を示す斜視図である。
【図５】本開示の第１実施形態に係る照明装置１の断面を示す断面図である。
【図６】本開示の第１実施形態に係る照明装置１の発光素子基板の構成を示す斜視図である。
【図７】本開示の第１実施形態に係る照明装置１の光源ユニットの構成を示す分解斜視図である。
【図８】本開示の第１実施形態に係る照明装置１の光源ユニット支持部材１７、端子台カバー１８及び取付部材１９の外観を示す斜視図である。
【図９】本開示の第１実施形態に係る照明装置１の電源部１６の構成を説明する斜視図である。
【図１０Ａ】本開示の第１実施形態に係る照明装置１から電源部１６の外装体である電源ボックス１６１の下面側の一部を取り外した状態を示す下面図である。
【図１０Ｂ】本開示の第１実施形態に係る照明装置１から電源部１６の外装体である電源ボックス１６１の下面側の一部を取り外した状態を示す下面からの斜視図である。
【図１１】本開示の第１実施形態に係る照明装置１の電源部１６の構成を説明する断面図である。
【図１２】本開示の第１実施形態に係る照明装置１の変形例を示す斜視図である。
【図１３】本開示の他の実施形態に係る照明装置１００の全体構成を示す外観斜視図である。
【図１４】発光素子基板を示す平面図である。
【図１５Ａ】発光素子を示す平面図である。
【図１５Ｂ】複数の発光素子の配置を示す平面図である。
【発明を実施するための形態】
【０００８】
以下の詳細な説明では、本開示の実施形態の完全な理解を提供するように多くの特定の細部が記載される。しかしながら、係る特定の細部がなくても、１つ以上の実施形態が実施されることは明らかである。また、図面を簡潔にするために、周知の構造及び装置が略図で示される場合がある。
以下、本開示の第１実施形態に係る照明装置について説明する。なお、以下の実施形態において、照明装置が天井に取り付けられた場合に天井と対向する方向を照明装置の上方向とし、床方向を照明装置の下方向として説明する場合がある。
【０００９】
１．第１実施形態
（１−１）照明装置の全体構成
本開示の第１実施形態に係る照明装置について、以下の図１から図１１を参照して説明する。
図１Ａ及び図１Ｂは、本開示の第１実施形態に係る照明装置の外観を示す斜視図である。図１Ａは、照明装置１の上方向から見た斜視図である。図１Ｂは、照明装置１の下方向から見た斜視図である。
図２Ａ〜Ｅは、照明装置の外観を示す六面図である。図２Ａは照明装置１の正面図、図２Ｂは照明装置１の左側面図、図２Ｃは照明装置１の右側面図、図２Ｄは照明装置１の平面図、図２Ｅは照明装置１の底面図である。なお、背面図は省略する。
図３は、照明装置の構成を示す分解斜視図である。
図４は、照明装置に備えられる光源ユニットの外観を示す斜視図である。
【００１０】
図１Ａ及び図１Ｂ、図２Ａから図２Ｅ並びに図３に示すように、本開示の第１実施形態に係る照明装置１は、発光素子（図示せず、詳細は後述する）を含む複数（本実施形態では２個）の光源ユニット３０と、２個の光源ユニット３０の間に設けられて、電力供給ケーブル１６８により発光素子に電力を供給する電源部１６と、発光素子が露出するように２個の光源ユニット３０を支持する光源ユニット支持部材１７と、電源部１６に沿って光源ユニット支持部材１７に固定され、天井等の被取付面に取り付けられる取付部材１９と、電源部１６と接続され光源ユニット支持部材１７の一部から外部に露出する端子台１６２（図２Ｂ参照）を覆う端子台カバー１８と、発光素子を覆うカバー２０と、カバー２０を開口２１１から露出するように光源ユニット３０及び電源部１６を下側から覆うカバーフレーム２１と、を有している。光源ユニット３０は、放熱体１５を備えている。
【００１１】
光源ユニット３０は、光源ユニット支持部材１７に対して、ネジＳ１７により固定されている。光源ユニット３０は、カバーフレーム２１に対して、ネジＳ２１により固定されている。取付部材１９は、光源ユニット支持部材１７に対して、ネジＳ１９及びナットＮ１９により固定されている。
図３及び図４に示すように、光源ユニット３０は、複数の発光素子１１と、複数の発光素子１１が実装された発光素子基板１２と、発光素子１１から照射された光を光照射方向に反射する反射部材１４と、発光素子１１の熱を放熱する放熱体１５と、発光素子１１を覆うカバー２０と、を備えている。発光素子基板１２、反射部材１４及びカバー２０は、ネジＳ１２により、放熱体１５に取り付けられる。図４に示すように、反射部材１４は、透光性材料からなるカバー２０の内側に重ねられた状態で放熱体１５に取り付けられている。カバー２０は、反射部材１４を覆った状態で放熱体１５に取り付けられている。本実施形態において、発光素子基板１２に実装された複数の発光素子１１を総称して光源１３と記載することがある。
【００１２】
図３に示すように、本開示の第１実施形態に係る照明装置１では、２個の光源ユニット３０の間に電源部１６が配置されている。ここで、「光源ユニット３０の間」とは、照明装置１を上又は下方向から平面視した場合に、２つの光源ユニット３０間に電源部１６が配置された状態をいう。電源部１６は、発光素子基板１２の基板面方向において光源ユニットに挟まれることになる。
２個の光源ユニット３０の間に電源部１６が配置されていることにより、発光素子１１から伝えられた熱を放熱体１５で放熱する際に、放熱体１５の放熱が阻害されることがなくなる。また、放熱体１５の上部に電源部１６が配置されていないため、放熱体１５から放熱された熱により電源部１６が熱せられることがない。
【００１３】
なお、図３に示す電源部１６の突出部１６１ｂについては後述する。
本開示の第１実施形態に係る照明装置１は、多目的ホール、体育館又は工場等の高天井に取り付けられて床面や壁面等を照射する照明装置として使用することができる。照明装置１は、取付部材１９の孔部１９１ａ（図１Ａ参照）に挿入される図示しない取付治具により、天井に取り付けられる。また、図３に示す、端子台カバー１８で覆われた端子台１６２には、天井内から孔部等を通じて導出された電源ケーブル又は天井に沿って引き回された電源ケーブル（いずれも図示せず）が接続される。これにより、照明装置１に商用電源からの電力が供給される。
【００１４】
図５は、図２Ｄの照明装置１のＡ−Ａ断面を示す断面図である。
図５に示すように、本開示の第１実施形態に係る照明装置１では、放熱体１５が電源部１６との間に空間を設けて配置されている。例えば、図５において、放熱体１５は、放熱体１５の電源部１６側の側面が電源部１６の側面との間に空間を設けて配置されているこれにより、発光素子１１で発生して放熱体１５に伝導した熱が電源部１６に伝わりにくくなる。また、放熱体１５には電源部１６で発生した熱が伝わりにくくなる。
このため、照明装置１は、高い熱が生じる発光素子１１の熱のみを効率的に放熱させることができる。
【００１５】
また、放熱体１５は、放熱体１５の光源ユニット支持部材１７側の側面が光源ユニット支持部材１７と接するように配置されている。
光源ユニット支持部材１７は、表面積が広く照明装置１の外部に露出しているため高い放熱性を有する。このため、放熱体１５と光源ユニット支持部材１７とが接することにより、放熱体１５の熱が光源ユニット支持部材１７に拡散し、光源ユニット支持部材１７全体で放熱を行うことができる。
このため、照明装置１は、高い熱が生じる発光素子１１で発生した熱を放熱体１５だけでなく光源ユニット支持部材１７で放熱できるので、さらに効率的に放熱させることができる。
【００１６】
（１−２）照明装置の各部の構成
以下、照明装置１の各部について詳細に説明する。
（発光素子基板）
図６は、発光素子基板１２の構成を示す斜視図である。図６では、説明を容易にするために、電源部１６と発光素子基板１２とを接続する電力供給ケーブル１６８のプラス側ケーブル１６８ａ及びマイナス側ケーブル１６８ｂが接続された状態の発光素子基板１２を示している。
【００１７】
図６に示すように、発光素子基板１２は、矩形の薄板形状を有している。発光素子基板１２は、例えばＬＥＤ（light emitting diode：発光ダイオード）からなる複数の発光素子１１（光源１３）が実装された発光素子実装面１２ａを有している。図６中、発光素子１１として１か所の発光素子のみ指し示しているが、発光素子基板１２には複数の発光素子１１が実装されている。
【００１８】
発光素子１１は、発光素子実装面１２ａの中央部にマトリクス状に並んで実装されている。図６では、発光素子１１が５行、３０列に並んで実装された例を示している。
発光素子基板１２は、発光素子実装面１２ａの裏面に放熱体対向面１２ｂを有している。
発光素子基板１２は、発光素子実装面１２ａから放熱体対向面１２ｂに貫通する孔（図示せず）を有している。この孔には、孔部１２１ａが形成されたケーブル保護用ブッシュ１２１が嵌め込まれている。ケーブル保護用ブッシュ１２１の孔部１２１ａには、電源部１６と接続される電力供給ケーブル１６８が挿入されている。ケーブル保護用ブッシュ１２１は例えばゴム製である。ケーブル保護用ブッシュ１２１により、電力供給ケーブル１６８の被覆材の損傷を防止することができる。
【００１９】
発光素子基板１２は、発光素子実装面１２ａに、電源部１６と接続される電力供給ケーブル１６８を接続するためのコネクタ１２２を有している。コネクタ１２２は、プラス側端子１２２ａとマイナス側端子１２２ｂとを有している。コネクタ１２２のプラス側端子１２２ａには、電力供給ケーブル１６８のプラス側ケーブル１６８ａが接続される。コネクタ１２２のマイナス側端子１２２ｂには、電力供給ケーブル１６８のマイナス側ケーブル１６８ｂが接続される。
【００２０】
発光素子基板１２では、発光素子基板１２上に設けられた複数の発光素子１１の全てが、コネクタ１２２のプラス側端子１２２ａとマイナス側端子１２２ｂとの間で接続されている。例えば、各行の発光素子１１同士は直列に接続され、直列接続された各行の発光素子１１は、プラス側端子１２２ａとマイナス側端子１２２ｂとの間に並列に接続されている。このため、コネクタ１２２のプラス側端子１２２ａとマイナス側端子１２２ｂに電力供給ケーブル１６８のプラス側ケーブル１６８ａ及びマイナス側ケーブル１６８ｂがそれぞれ接続されることにより、発光素子１１の全てに対して電力を供給することができる。
【００２１】
発光素子基板１２は、ネジ穴１２３ａ、１２３ｂ、１２３ｃ、１２３ｄ、１２３ｅ及び１２３ｆ（ネジ穴１２３ａ〜１２３ｆと記載する場合がある）を有している。
発光素子基板１２は、発光素子実装面１２ａ側からネジ穴１２３ａ〜１２３ｆのそれぞれに挿入された複数のネジＳ１２（図４参照、ネジＳ１２のうちの１つは図示せず）によって、放熱体１５に固定される。
本開示の第１実施形態に係る照明装置１では、発光素子基板１２に複数の発光素子１１を設けることにより、発光素子１１の１個当たりの発光量を低減させつつ、全体として所望の発光量が得られる。これにより、１個の発光素子１１に供給する電流量を小さくすることができるので、複数の発光素子１１の長寿命化を図ることができる。
【００２２】
発光素子基板１２は積層構造を有している。発光素子基板１２は、例えば、１層目がアルミニウムで形成されたアルミ基材、２層目が絶縁層、３層目が発光素子１１や抵抗素子（図示せず）等の電子部品に供給する電流経路となる銅線がパターニングされた銅パターン層、４層目が発光素子実装面１２ａとなるレジスト層という積層構造を有している。アルミ基材は、例えば２ｍｍの厚さに形成されている。絶縁層は、例えば９５μｍ又は１２０μｍの厚さに形成されている。レジスト層には、白色の油系のレジスト材料が用いられている。これにより、発光素子実装面１２ａでの反射率が向上し、複数の発光素子１１が発光する光の利用効率が向上する。
照明装置１は、体育館や工場等の天井などに取り付けられ、照明装置１が照射する場所とは所定の距離だけ離れている。このため、光が照射される場所から照明装置１を見ると、照明装置１はあたかも光源１３全体で発光しているかのように見える。
【００２３】
図１４は、発光素子１１からの光の主出射方向から発光素子基板１２を見た平面図である。発光素子１１は、矩形状であり、発光素子１１の長手方向は、矩形状をなす発光素子基板１２の短手方向に沿っている。また、発光素子１１の短手方向は、発光素子基板１２の長手方向に沿っている。複数の発光素子１１は、発光素子基板１２上において、５行、３０列にマトリクス状に実装されている。
【００２４】
図１４は、発光素子基板１２において、複数の発光素子１１が実装される発光素子実装領域Ｘと、発光素子実装領域Ｘ以外の領域Ｙと、を示す平面図である。領域Ｙには、反射部材１４が設けられる。反射部材１４は、発光素子１１の主出射方向に対して、外側に広がっている。本実施形態では、発光素子基板１２に実装される全ての発光素子１１の形状は同一であるが、これに限定されない。複数の発光素子１１のうち一部の発光素子１１の形状が異なっていてもよい。
【００２５】
反射部材１４の上には、反射部材１４と前記発光素子実装領域Ｘを覆うように透光性を有するカバー２０が設けられている。カバーを透明に形成してもよいし、カバーを透明ではないものの光拡散性を有するようにしてもよい。光拡散性は、カバーを構成する樹脂に拡散剤を添加して例えば乳白色にして得られる。光拡散性は、カバーを構成する樹脂に表面処理を施すことによっても得られる。カバーが透明である場合は、光源ユニットの直下照度が上がる。カバーが透明ではなく光拡散性を有する場合は、カバーが透明である場に比して直下照度が若干低下するが、光源ユニットの直下から離れた領域まで光が十分に行き渡る。
【００２６】
発光素子基板１２の長手方向の長さＬ１は、２４０ｍｍであり、発光素子基板１２の短手方向の長さＬ３は、７５ｍｍである。また、発光素子実装領域Ｘの長手方向の長さＬ２は、１９２ｍｍであり、発光素子実装領域Ｘの短手方向の長さＬ４は、３８ｍｍである。発光素子基板１２における発光素子実装領域Ｘの長手方向の余白は両側で等しく、ともに、２４ｍｍである。発光素子基板１２における発光素子実装領域Ｘの短手方向の余白は両側で等しく、ともに、１８．５ｍｍである。
【００２７】
発光素子実装領域Ｘの長手方向の長さＬ２は、発光素子基板１２の長手方向の長さＬ１の８０％である（Ｌ２／Ｌ１×１００＝８０．０％）。発光素子実装領域Ｘの短手方向の長さＬ４は、発光素子基板１２の短手方向の長さＬ３の約５０．７％である（Ｌ４／Ｌ３×１００≒５０．７％）。
【００２８】
ここで、発光素子実装領域Ｘの長手方向の長さＬ２は、発光素子基板１２の長手方向の長さＬ１の８２％以下であることが好ましい。発光素子実装領域Ｘの短手方向の長さＬ４は、発光素子基板１２の短手方向の長さＬ３の５２％以下であることが好ましい。
【００２９】
このような範囲内に発光素子１１を敷き詰めることで、発光素子１１から出射した光のうち、発光素子１１から斜め方向に出射した光を効果的に反射部材１４で反射することができ、発光素子１１の主出射方向（図１４の紙面に垂直で手前に向く方向）側に効率的に光を導くことができる。つまり、光源ユニット３０を有する照明装置が、高天井（例えば、床面から５ｍ程度の天井）に設置されても、上記範囲外である場合に比べて、光の取り出し効率を高めることが可能となる。
【００３０】
仮に、発光素子実装領域Ｘの長手方向の長さＬ２が、発光素子基板１２の長手方向の長さＬ１の８２％より大きいか、若しくは、発光素子実装領域Ｘの短手方向の長さＬ４が、発光素子基板１２の短手方向の長さＬ３の５２％より大きくなると、次のような弊害が生じる。すなわち、その弊害は、発光素子１１から斜め方向に出射した光を効果的に反射部材で反射することができず、発光素子１１の主出射方向（図１４の紙面に垂直で手前に向く方向）側に効率的に光を導くことができないことである。
【００３１】
次に、発光素子実装領域Ｘ内に配列された発光素子１１について説明する。発光素子１１の１個当たりの消費電力は、０．１Ｗ以上、０．７Ｗ以下であることが好ましい。より好ましくは、０．１５Ｗ以上、０．５Ｗ以下である。第１実施形態では、発光素子１１の１個当たりの消費電力は、０．２Ｗとした。消費電力が０．１Ｗ以上、０．７Ｗ以下である発光素子は、所謂、ミドルチップ（またはミドルパワー）と呼ばれるＬＥＤチップに相当する。第１実施形態の発光素子１１の順電流は、ＶＦ（順電圧）が３Ｖのときに６５ｍＡ程度である。消費電力が０．１Ｗ未満であると、流れる電流量が減少し、十分な明るさを得ることができない。逆に、消費電力が０．７Ｗより大きくなると、所謂、ハイパワーと呼ばれるＬＥＤチップの範疇に入り、消費電力が増大してしまう。そして、発光素子実装領域Ｘ内に配置する発光素子の消費電力を０．１Ｗ以上、０．７Ｗ以下にすることで、発光素子１１の１個当たりの消費電力が０．１Ｗより小さい、若しくは、０．７Ｗより大きい場合に比べて、光の取り出し効率の確保と、消費電力の抑制とを両立可能となる。
【００３２】
図１５Ａは、発光素子１１の１個のサイズを示している。発光素子１１の長手方向の長さは、５．６ｍｍであり、発光素子１１の短手方向の長さは、３ｍｍである。
【００３３】
図１５Ｂは、互いに隣接する４個の発光素子１１の配列を示している。隣接する発光素子１１同士の長手方向の間隔は、１．４ｍｍであり、隣接する発光素子１１同士の短手方向の間隔は、３．５ｍｍである。これらの間隔は、発光素子実装領域Ｘ内ですべて同一である。よって、隣接する発光素子１１同士の短手方向の間隔は、隣接する発光素子１１同士の長手方向の間隔より長い。また、発光素子１１の中心１１ａ同士の長手方向のピッチは、７．０ｍｍであり、発光素子１１の中心１１ａ同士の短手方向のピッチは、６．５ｍｍである。よって、発光素子１１の中心１１ａ同士の長手方向のピッチは、発光素子１１の中心１１ａ同士の短手方向のピッチより長い。
【００３４】
上記のように発光素子１１を配列することで、ムラのない、より均一な面発光を得ることができる。
【００３５】
（放熱体）
図７は、発光素子基板１２と、反射部材１４と、発光素子１１を覆うカバー２０（詳細は後述する）とを放熱体１５に固定した光源ユニット３０の構成を示す分解斜視図である。なお、図７では、例えば、無色透明のカバー２０を用いた光源ユニット３０の例を示している。カバー２０は、反射部材１４と重なった状態で放熱体１５に取り付けられている。
なお、以下の説明では、図２Ａで示す照明装置１の正面図に沿って、複数の放熱フィン１５２の端面が露出する面を放熱体１５の正面とし、電源部１６及び光源ユニット支持部材１７と対向する面を放熱体１５の側面とする。
【００３６】
図７に示すように、放熱体１５は、一方の面で光源１３を支持する光源支持部１５１と、光源支持部１５１の他方の面に設けられた複数の放熱フィン１５２とを備えている。放熱フィン１５２は、放熱体１５の側面と並行に形成され、放熱体１５の両側面の間に複数並行に形成される。光源支持部１５１及び複数の放熱フィン１５２は、一体的に形成されている。光源支持部１５１は、例えば矩形状を有しており、光源１３が実装された発光素子基板１２と対向する一方の面（光源支持面１５１ａ）で、光源１３が実装された発光素子基板１２を支持する。また、放熱体１５は、光源支持面１５１ａの裏面（放熱フィン形成面１５１ｂ）に複数の放熱フィン１５２が設けられている。複数の放熱フィン１５２は互いに等間隔に配置されている。発光素子１１で発生した熱は、発光素子基板１２及び放熱体１５の光源支持部１５１を介して複数の放熱フィン１５２に伝わり、複数の放熱フィン１５２から放熱される。
【００３７】
放熱体１５は、光源ユニット支持部材１７及びカバーフレーム２１と対向する少なくとも一方の側面に、肉厚部１５３を有している。肉厚部１５３は、光源ユニット支持部材１７がネジＳ１７（図１Ａ、Ｂ参照）によって放熱体１５に固定される際のネジ穴１５６ａ、１５６ｂ、１５６ｃ及び１５６ｄ（１５６ａ〜１５６ｄと記載する場合がある、１５６ｃ及び１５６ｄは図示せず）を有している。ネジ穴１５６ａ〜１５６ｄは、光源ユニット支持部材１７の孔部１７６（詳細は図８を用いて後述する）と重なる位置に形成される。
【００３８】
肉厚部１５３は、カバーフレーム２１がネジＳ２１（図１Ａ、Ｂ参照）によって放熱体１５に固定される際のネジ穴１５７ａ、１５７ｂ、１５７ｃ及び１５７ｄ（１５７ａ〜１５７ｄと記載する場合がある、１５７ｃ及び１５７ｄは図示せず）を有している。ネジ穴１５７ａ〜１５７ｄは、カバーフレーム２１に設けられたネジＳ２１が挿入される孔部（図示せず）と重なる位置に形成される。
【００３９】
放熱体１５は、光源ユニット支持部材１７と対向する面及び電源部１６と対向する面のそれぞれ（すなわち放熱体１５の両側面）に案内溝１５４を備えている。図７に示すように、案内溝１５４は、放熱体１５側面の肉厚部１５３に設けられている。案内溝１５４は、光源ユニット支持部材１７及び電源部１６にそれぞれ設けられた突出部（詳細は後述する）と係合可能に形成されている。照明装置１を組み立てると、放熱体１５の案内溝１５４は光源ユニット支持部材１７及び電源部１６にそれぞれ設けられた突出部と係合される。
【００４０】
案内溝１５４は、少なくとも放熱体１５の正面又は背面に達するように形成される。図７に示す放熱体１５では、案内溝１５４が放熱体１５の正面及び背面の双方それぞれに達するように形成されている。すなわち、案内溝１５４は、正面から背面（又はその逆）に達するように形成されている。また、案内溝１５４は、一続きに形成される。すなわち、案内溝１５４は、放熱体１５の一方の側面において連続的に形成される。
【００４１】
図４及び図７に示すように、放熱体１５に設けられた複数の放熱フィン１５２のうち、発光素子基板１２の発光素子１１が実装された発光素子実装領域Ｘと光源支持部１５１を介して対向する放熱フィン１５２ａは、残余の放熱フィン１５２ｂよりも長く形成されている。ここで、発光素子基板１２の「発光素子実装領域」とは、複数の発光素子１１が実装された発光素子基板１２上の領域と、発光素子１１同士で挟まれた発光素子基板１２上の領域を合わせた発光素子実装面１２ａ上の領域をいう。例えば、図６及び図７に示す発光素子基板１２において、複数の発光素子１１（光源１３）が矩形状の領域内に実装されている。「発光素子実装領域Ｘ」は、この複数の発光素子１１が実装された矩形状の領域となる。図６及び図７に示す発光素子基板１２における「発光素子実装領域Ｘ」は、発光素子基板１２の一方の短辺に最も近い位置に形成された１列目の発光素子１１の短辺側の縁部と、発光素子基板１２の他方の短辺に最も近い位置に形成された３０列目の発光素子１１の短辺側の縁部と、発光素子基板１２の一方の長辺に最も近い位置に形成された１行目の発光素子１１の長辺側の縁部と、発光素子基板１２の他方の長辺に最も近い位置に形成された５行目の発光素子１１の短辺側の縁部と、で囲まれた領域である。
【００４２】
図６に示す放熱体１５には、８個の放熱フィン１５２が設けられている。８個の放熱フィン１５２のうち、内側に設けられた４個の放熱フィン１５２ａは、発光素子基板１２及び光源支持部１５１を介して発光素子実装面１２ａの発光素子実装領域Ｘと対向している。内側に設けられた４個の放熱フィン１５２ａは、放熱フィン１５２ａの外側に設けられて発光素子実装領域と対向していない４個の放熱フィン１５２ｂよりも長く形成されている。発光素子１１で発生した熱は、発光素子実装領域Ｘの周囲の放熱フィン１５２ｂよりも発光素子実装領域Ｘ上の放熱フィン１５２ａに伝わりやすい。放熱フィン１５２ａは、放熱フィン１５２ｂよりも長く表面積が大きいため、発光素子１１の熱が効率的に放熱される。
【００４３】
詳細は図８を用いて後述するが、光源ユニット支持部材１７は、放熱体１５の形状に合わせて形成された斜面部１７１ｂと、通気口１７４とを有している。このため、放熱フィン１５２のうち内側に設けられた放熱フィン１５２ａから放熱された熱が、外側に設けられた放熱フィン１５２ｂで阻害されることなく照明装置１外に排出されやすい。また、放熱フィン１５２ａは、光源ユニット支持部材１７の通気口１７４から入る空気と触れやすい。このため、放熱フィン１５２ａの放熱性を向上させることができる。
【００４４】
図７に示すように、放熱体１５は、光源支持部１５１を貫通する孔部１５８を有している。孔部１５８は、発光素子基板１２に設けられたケーブル保護用ブッシュ１２１の孔部１２１ａと対向する位置に設けられる。孔部１５８には、電源部１６と接続される電力供給ケーブル１６８が挿入される。これにより、電源部１６から導出された電力供給ケーブル１６８が、放熱フィン形成面１５１ｂ側から光源支持面１５１ａ側に引き回され、発光素子基板１２のコネクタ１２２と接続される。
【００４５】
放熱体１５は、光源支持面１５１ａに、発光素子基板１２のネジ穴１２３ａ〜１２３ｆと重なる位置に形成されたネジ穴１５５ａ、１５５ｂ、１５５ｃ、１５５ｄ、１５５ｅ及び１５５ｆ（１５５ａ〜１５５ｆと記載する場合がある）を有している。放熱体１５には、複数のネジ１２４ａ〜１２４ｆ（図４参照、ネジ１２４ｆは図示せず）によって、発光素子基板１２、反射部材１４及びカバー２０が固定される。
【００４６】
放熱体１５は、例えばアルミニウムを用いたダイキャストにより形成されている。これにより、放熱体１５は、高剛性、軽量化及び高放熱性が図られている。放熱フィン１５２の形状や配置位置は、放熱体に発光素子基板１２が取り付けられた際の発光素子１１との位置関係のみでなく、ダイキャストで用いる金型の抜け性と、放熱時の通気性とを考慮して決定されている。
【００４７】
（反射部材）
図７に示すように、反射部材１４は、発光素子基板１２に実装された光源１３を取り囲み、発光素子基板１２上の光源１３が露出するように配置されている。反射部材１４は、発光素子１１から照射された光を光照射方向に反射することで照明装置１の照射効率を向上させる。
【００４８】
図７に示すように、反射部材１４は、複数の発光素子１１（光源１３）が実装された矩形状の領域（発光素子実装領域）の外周から発光素子１１の光照射方向に向かって広がる斜面部１４１（１４１ａ、１４１ｂ、１４１ｃ及び１４１ｄ）を有している。斜面部１４１ａは、発光素子実装領域の一長辺に沿って設けられている。斜面部１４１ｂは、斜面部１４１ａと隣接し、発光素子実装領域の一短辺に沿って設けられている。斜面部１４１ｃは、斜面部１４１ａと対向するとともに斜面部１４１ｂと隣接し、発光素子実装領域の他の長辺に沿って設けられている。斜面部１４１ｄは、斜面部１４１ｂと対向するとともに斜面部１４１ａ及び１４１ｃと隣接し、発光素子実装領域の他の短辺に沿って設けられている。反射部材１４は、発光素子基板１２のネジ穴１２３ａ〜１２３ｆと重なる位置に切欠き部を有している。
【００４９】
また、反射部材１４は、発光素子基板１２とともに放熱体１５に取り付けられた際に、発光素子基板１２に対して略垂直に接触する枠状の側壁部１４２（側壁部の一部は図示せず）を有している。また、反射部材１４は、斜面部１４１及び側壁部１４２を接続する平面部１４３を有している。斜面部１４１、側壁部１４２及び平面部１４３は一体的に形成されている。
【００５０】
反射部材１４は、例えば高反射性樹脂材料を射出成型することにより形成される。高反射性樹脂材料は、例えば、樹脂材料に反射剤を混合して得ることができる。また、反射部材１４は、発光素子１１が照射した光を通さない非透光性の材料で形成される。反射部材１４は、発光素子１１が照射した光を通さないことにより、発光素子１１が照射した光を無駄なく光照射方向（床方向）に反射し、照明装置１の照射効率を向上させることができる。
【００５１】
（カバー）
カバー２０は、発光素子１１を覆い、発光素子１１から照射された光を透過する透光性のカバーである。カバー２０は、発光素子１１を保護する機能を有している。
図４及び図７に示すように、カバー２０は、反射部材１４を外側から覆うようにして反射部材１４と重なる形状に形成されている。カバー２０は、反射部材１４の側壁部１４２の外形に沿う形状に形成された側壁部２０２を有している。さらに、カバー２０は、反射部材１４の平面部１４３の外形に沿い、発光素子基板１２上に実装された光源１３と、反射部材１４の斜面部１４１との間に空間が形成される形状に形成された光透過部２０３とを有している。光透過部２０３は、反射部材１４の平面部１４３と当接する領域以外の領域で発光素子１１からの光を透過する。
【００５２】
カバー２０は、発光素子基板１２に設けられたネジ穴１２３ａ〜１２３ｆと重なる位置に形成されたネジ穴２０１ａ、２０１ｂ、２０１ｃ、２０１ｄ、２０１ｅ及び２０１ｆ（２０１ａ〜２０１ｆと記載する場合がある、ネジ穴２０１ｅ及び２０１ｆは図示せず）を有している。カバー２０は、反射部材１４を外側から覆って光透過部２０３と反射部材１４の平面部１４３とを接触させた状態で放熱体１５に固定される。カバー２０は、床方向側からネジ穴２０１ａ〜２０１ｆと発光素子基板１２のネジ穴１２３ａ〜１２３ｆのそれぞれに挿入された複数のネジ１２４ａ〜１２４ｆ（ネジ１２４ｆは図示せず）によって、放熱体１５に固定される。ネジ１２４ａ〜１２４ｆは、放熱体１５に設けられたネジ穴１５５ａ〜１５５ｆに固定される。放熱体１５のネジ穴１５５ａ〜１５５ｆは、ネジ穴２０１ａ〜２０１ｆと重なる位置に設けられている。
【００５３】
また、カバー２０には、内圧調整部（図示せず）が設けられていてもよい。内圧調整部は、光透過部２０３に形成された開口を塞ぐように形成された膜状の部材である。内圧調整部は、高い通気性を有している。内圧調整部は例えば多孔質膜である。内圧調整部は、発光素子基板１２と光透過部２０３と反射部材１４とで囲まれた空間の圧力が照明装置１の使用環境によって変化するのを防止する。例えば、照明装置１の使用環境の温度が高くなって光透過部２０３発光素子基板１２とで囲まれた空間の圧力が上昇すると、内圧調整部を介して当該空間の空気が外部に放出される。これにより、当該空間の圧力が定常状態に調整される。
【００５４】
カバー２０は、例えば樹脂材料を用いた射出成型により形成されている。樹脂材料としては、発光素子１１の熱に対する耐性が高く、照明装置１外部からの衝撃に耐えうる強度を有し、発光素子１１からの光の透過を妨げない材料を用いることができる。
また、樹脂材料には、拡散剤が混合されていてもよい。拡散剤が分散されたカバー２０は、発光素子１１の強い光がカバー２０を透過する際に光を拡散して室内全体を明るく保つことができる。このため、光が照射される場所から照明装置１を見ると、光源１３から照射された強い光と反射部材１４で反射された光が均一になり、照明装置１はあたかも光源１３と反射部材１４の全体で発光しているかのように見える。
【００５５】
（光源ユニット支持部材）
図８は、光源ユニット支持部材１７、端子台カバー１８及び取付部材１９の外観を示す斜視図である。図８に示すように、光源ユニット支持部材１７は、光源ユニット３０を支持する本体部１７１と、光源ユニット支持部材１７と取付部材１９（図１Ａ、Ｂ参照）を接続するための一対の取付部材固定部１７２とを有している。
【００５６】
本体部１７１は、光源ユニット３０及び電源部１６の上面を覆う天板部１７１ａ（主面部）と、放熱体１５の放熱フィン１５２の形状に沿って傾斜する斜面部１７１ｂと、光源ユニット３０の側面と対向する側面部１７１ｃと、側面部１７１ｃの端部が照明装置１の内部方向に折り曲げられた突出部１７１ｄとを有している。光源ユニット支持部材１７は、全体が金属板により形成されている。
【００５７】
天板部１７１ａは、矩形の薄板形状に形成されており、光源ユニット３０及び電源部１６の上面を覆い、照明装置１内部に埃が侵入することを防止する。また、天板部１７１ａには、電源部１６（図１Ａ、Ｂ参照）が取り付けられる。電源部１６の取付については後述する。図５に示すように、天板部１７１ａの上面には、電源部１６の一部である端子台１６２が配置される。端子台１６２は、電源部１６から導出された電力供給ケーブル１６７（図３、図５参照）と接続されている。このため、天板部１７１ａには、電力供給ケーブル１６７を天板部１７１ａの一方の面から他方の面に通すための孔部１７３が形成されている。
【００５８】
斜面部１７１ｂは、天板部１７１ａの一辺が折り曲げられて形成されている。斜面部１７１ｂは、放熱体１５の放熱フィン１５２に沿う形状に形成されている。斜面部１７１ｂは、複数の通気口１７４を有している。通気口１７４は、斜面部１７１ｂの一部が開口した開口部１７４ａと、開口部１７４ａの上側の一辺に沿って突出するひさし部１７４ｂとを有している。例えば、図８に示す光源ユニット支持部材１７では、開口部１７４ａが横方向に延びるスリット形状に形成されている。ひさし部１７４ｂは、上面からみた場合に開口部１７４ａが覆われるように形成される。ひさし部１７４ｂは、開口部１７４ａから照明装置１内に埃が入ることを防止する。
【００５９】
側面部１７１ｃは、斜面部１７１ｂの一辺が斜面部１７１ｂの折り曲げ方向と同じ方向に折り曲げられて形成されている。側面部１７１ｃは、複数の通気口１７５を有している。通気口１７５は、側面部１７１ｃの一部が開口した開口部からなる。例えば、図８に示す光源ユニット支持部材１７では、通気口１７５が横方向に延びるスリット形状に形成されている。
【００６０】
側面部１７１ｃは、複数の通気口１７５挟んだ両端に孔部１７６を有している。孔部１７６には、光源ユニット支持部材１７外側方向側からネジが挿入される。放熱体１５の側面は、孔部１７６に挿入されたネジＳ１７により、側面部１７１ｃの内側表面に固定される（図５参照）。側面部１７１ｃは、放熱体１５の側面と接するように配置される。これにより、放熱体１５に拡散した熱を光源ユニット支持部材１７に逃がすことができる。光源ユニット支持部材１７は、表面積が広く照明装置１の外部に露出しているため高い放熱性を有する。このため、放熱体１５と光源ユニット支持部材１７とが接することにより、放熱体１５の熱が光源ユニット支持部材１７に拡散し、光源ユニット支持部材１７で放熱される。このため、照明装置１は、発光素子１１から発生する高温の熱を効率的に放熱させることができる。
【００６１】
突出部１７１ｄは、側面部１７１ｃの下方向（床方向）の端部が照明装置１内側方向、すなわち光源ユニット３０側方向に折り曲げられて形成されている。突出部１７１ｄは、放熱体１５の案内溝１５４（図７参照）と係合可能に形成されている。照明装置１を組み立てる際には、突出部１７１ｄは、放熱体１５の案内溝１５４と係合される。突出部１７１ｄは、一様に突出する形状に形成されていてもよく、断続的に突出する形状に形成されていてもよい。突出部１７１ｄと係合する案内溝１５４は放熱体１５の正面から背面に亘って一続きに形成されている。このため、突出部１７１ｄは、突出部１７１ｄが断続的に突出する形状であっても、突出部１７１ｄを案内溝１５４に沿ってスライドさせることができる。
【００６２】
取付部材固定部１７２は、板状に形成され、本体部１７１から上方向（天井方向）に突出している。取付部材固定部１７２は、天板部１７１ａの正面側側端部の中央及び背面側側端部の中央に設けられている。取付部材固定部１７２には、ネジ穴１７２ａが形成されている。ネジ穴１７２ａには、取付部材１９と取付部材固定部１７２とを固定するためのネジＳ１９（図１Ａ、Ｂ等参照）が挿入される。図８には、一対の取付部材固定部１７２のそれぞれに、丸形状のネジ穴１７２ａが２個ずつ形成された例を示している。
【００６３】
（取付部材）
取付部材１９は、電源部１６の向きに沿って光源ユニット支持部材１７に固定され、被取付面に取り付けられる。これにより、放熱体１５の上部が覆われないため、放熱が阻害されない。また、照明装置１の重心が安定する。取付部材１９は、光源ユニット支持部材１７と同様に金属板で形成されている。
【００６４】
図８示すように、取付部材１９は、天井等の被取付面と対向する横板部１９１と、横板部１９１の長手方向の両端が折り曲げられて横板部１９１の両端から下方に延在する一対の縦板部１９２とを有する。
横板部１９１は、被取付面から突出する吊りボルト（図示せず）を挿入するための孔部１９１ａを有している。
【００６５】
縦板部１９２は、ネジ穴１９２ａ及び１９２ｂを有している。図８には、一対の縦板部１９２のそれぞれに、丸形状のネジ穴１９２ａと、アーチ形状のネジ穴１９２ｂが１個ずつ形成された例を示している。
縦板部１９２の先端部は、光源ユニット支持部材１７の取付部材固定部１７２と重なって配置される。このとき、縦板部１９２及び取付部材固定部１７２は、ネジ穴１９２ａ及び１９２ｂと取付部材固定部１７２の２つのネジ穴１７２ａのそれぞれが対向する位置に配置される。取付部材１９は、ネジ穴１９２ａ及びネジ穴１７２ａ並びにネジ穴１９２ｂ及びネジ穴１７２ａのそれぞれに挿入されたネジＳ１９及びネジＳ１９に取り付けられるナットＮ１９（図１Ａ、Ｂ参照）によって、光源ユニット支持部材１７に固定される。取付部材１９は、光源ユニット支持部材１７に対して着脱自在となっている。
【００６６】
図８に示す取付部材１９では、縦板部１９２に設けられた２つのネジ穴１９２ａ及び１９２ｂのうち、上側のネジ穴１９２ａが丸形状を有し、下側のネジ穴１９２ｂがアーチ形状を有している。すなわち、ネジ穴１９２ａの部分はネジにより取付部材１９及び光源ユニット支持部材１７がほぼ完全に固定される。一方、アーチ形状のネジ穴１９２ｂの部分では、ネジがアーチ形状のネジ穴１９２ｂ内で移動可能な状態で取付部材１９及び光源ユニット支持部材１７が固定される。
【００６７】
これにより、取付部材１９に対する光源ユニット支持部材１７の角度を変化させることができる。光源ユニット支持部材１７の角度を変化させることにより、例えば、照明装置１の取付時に、取付作業を容易にすることができる。また、取付部材１９に対する光源ユニット支持部材１７の角度を変化させることにより、照明装置１が照射する範囲を変化させることができる。
【００６８】
（端子台カバー）
端子台カバー１８は、光源ユニット支持部材１７から露出する端子台１６２を覆うように光源ユニット支持部材１７に取り付けられる。端子台カバー１８は、端子台１６２に埃が付着することを防止する。
図８に示すように、端子台カバー１８は、光源ユニット支持部材１７に対して略垂直に配置される一対の側壁部１８１と、光源ユニット支持部材１７との間に空間を保持した状態で一対の側壁部１８１の上端部同士をつなぐ上面部１８２と、開口１８３を有している。
端子台カバー１８は、光源ユニット支持部材１７と同様に金属板で形成されている。光源ユニット支持部材１７並びに一対の側壁部１８１及び上面部１８２で形成された空間には、端子台１６２が配置される（図３参照）。また、開口１８３を介して、電源ケーブルが端子台１６２に接続される（図示せず）。
【００６９】
（電源部）
図９から図１１を参照して、電源部１６について説明する。
図９は、照明装置１から光源ユニット支持部材１７、端子台カバー１８及び取付部材１９を取り外した状態を示す斜視図である。
図１０Ａ、Ｂは、照明装置１から電源部１６の外装体である電源ボックス１６１（図９参照）の下面側の一部を取り外した状態を示す図である。図１０Ａは、電源ボックスの下面側の一部を取り外した照明装置１の下面図であり、図１０Ｂは、電源ボックスの下面側の一部を取り外した照明装置１の下面からの斜視図である。
【００７０】
図１１は、照明装置１から光源ユニット３０及びカバーフレーム２１を取り外した状態を示す断面図である。
図９及び図１０Ａ，Ｂに示すように、電源部１６は、電源部１６の外装体である電源ボックス１６１と、電源部１６から外部に導出された電力供給ケーブル１６７と接続される端子台１６２と、電源ボックス１６１に収容された電源回路を備える回路基板１６３と、回路基板１６３に実装される電子部品の一つであるコンデンサ１６４と、コンデンサ１６４と接触した状態で配置される放熱シート１６５と、放熱シート１６５と接触した状態で配置される放熱板１６６と、端子台１６２と回路基板１６３とを電気的に接続する電力供給ケーブル１６７と、回路基板１６３と発光素子１１とを電気的に接続する電力供給ケーブル１６８と、を有する。図１１に示すように、電源部１６は光源ユニット支持部材１７に予め固定されている。
【００７１】
電源ボックス１６１は中空の直方体形状を有している。電源ボックス１６１は、金属板で形成される。図１１に示すように、電源ボックス１６１は、光源ユニット３０と対向する面に、光源ユニット３０側に突出し、放熱体１５の案内溝１５４と係合する突出部１６１ｂを有している。図１１には、電源部１６に先端が折れ曲がった鉤形状の突出部１６１ｂが設けられた例を示している。突出部１６１ｂは、所定の長さで形成される（図３参照）。
【００７２】
鉤形状の突出部１６１ｂが断面鉤形状に形成され放熱体１５の案内溝１５４に係合している場合、突出部１６１ｂは、案内溝１５４から外れにくくなる。また、案内溝１５４の深さに対して突出部１６１ｂの突出長さ（電源ボックス１６１表面から鉤形状の折れ曲がり部分までの長さ）を長くすることにより、電源部１６と放熱体１５との間に一定の空間が形成される。このため、電源部１６は放熱体１５からの熱を受けにくくなる。また、電源部１６の熱が放熱体１５に拡散しにくくなる。したがって、放熱体１５は、発光素子１１から発生した熱を効率的に放熱することができる。
【００７３】
端子台１６２は、天井内から孔部等を通じて導出された電源ケーブル又は天井に沿って引き回された電源ケーブル（いずれも図示せず）が接続される接続部を有している。また、図９に示すように、端子台１６２は、回路基板１６３と接続された電力供給ケーブル１６７と接続されている。端子台１６２は、商用電源からの電力を回路基板１６３に供給するための接続部である。図１１に示すように、端子台１６２は、光源ユニット支持部材１７の天板部１７１ａの上面に配置される。端子台１６２は、端子台カバー１８で覆われており、端子台カバー１８の開口１８３に挿入された電源ケーブル（図示せず）と接続される。また、端子台１６２には、端子台１６２表面に接触した状態で端子台１６２を覆うシリコンカバー（図示せず）が嵌められていてもよい。
【００７４】
回路基板１６３は、複数の電子部品が実装される実装面１６３ａを有している。図１０Ａ及び図１０Ｂには、回路基板１６３に実装される電子部品としてコンデンサ１６４が例示されている。図１０Ａ及び図１０Ｂでは、一部の電子部品を省略して記載している。
回路基板１６３に備えられた電源回路は、例えば、電力供給ケーブル１６７から供給される交流電力を直流電力に変換し、その出力（即ち、直流電力）を電力供給ケーブル１６８を介して発光素子基板１２の発光素子１１に供給する（図５参照）。図１０Ｂに示すように、回路基板１６３は、電源部１６の内部空間において、光源ユニット支持部材１７側に配置されている。
【００７５】
回路基板１６３上の発光素子基板１２側に実装されたコンデンサ１６４は、回路基板１６３の実装面１６３ａ上に実装された電子部品の中でも特に発熱量が大きい部品である。このためコンデンサ１６４には、放熱シート１６５が接触した状態で配置される。また、放熱シート１６５には、放熱板１６６が接触した状態で配置される。放熱シート１６５としては、例えばシリコーン系材料、アクリル系材料又はエポキシ系材料や、これら材料にセラミックス等の高熱伝導性を有する材料を混合した材料を用いることができる。また、放熱板１６６としては、アルミニウム板又は銅板等の高熱伝導性金属を用いることができる。
【００７６】
図１０Ａ，Ｂに示すように、放熱板１６６は電源ボックス１６１の一部と接続している。このため、放熱板１６６は放熱シート１６５を介してコンデンサ１６４から受けた熱を電源ボックス１６１に拡散させることができる。図９に示すように、電源ボックス１６１の一部は照明装置１の外部に露出している。このため、電源ボックス１６１が受けた熱は照明装置１の周りの空間に放熱される。また、図１１に示すように、電源ボックス１６１は照明装置１の外部に露出する光源ユニット支持部材１７に固定されている。このため、電源ボックス１６１が受けた熱は光源ユニット支持部材１７に拡散されて照明装置１の周りの空間に放熱される。すなわち、放熱シート１６５及び放熱板１６６は、いずれも放熱部材として機能する。
【００７７】
回路基板１６３に実装された電子部品は、放熱性樹脂で覆われていてもよい。また、電子部品とともに、電子部品が実装されていない回路基板１６３の表面部分が放熱性樹脂で覆われていてもよい。放熱性樹脂としては、高熱伝導性及び絶縁性を有する樹脂材料や、これら材料にセラミックス等の高熱伝導性を有する材料を混合した材料を用いることができる。これにより、発熱量の大きい電子部品の放熱性を向上させるとともに、電子部品同士の絶縁性を確保することができる。
【００７８】
（カバーフレーム）
カバーフレーム２１は、光源ユニット３０及び電源部１６を下側から覆う外装フレームである。カバーフレーム２１は、光源ユニット支持部材１７と同様に金属板で形成されている。
図１Ａ，Ｂから図３に戻って、カバーフレーム２１は、発光素子１１からの光を透過するカバー２０を露出する開口２１１が設けられた枠体である。図３に示すように、カバーフレーム２１は、側面にネジ穴２１２ａ、２１２ｂ、２１２ｃ及び２１２ｄ（２１２ａ〜２１２ｄと記載する場合がある）を有している。カバーフレーム２１は、ネジ穴２１２ａ〜２１２ｄのそれぞれに挿入された複数のネジＳ２１（図１Ａ，Ｂ参照）によって、放熱体１５の側面に取り付けられる。また、カバーフレーム２１は、カバーフレーム２１の下面を覆い、カバー２０の表面よりも下面側に突出して設けられた柵状部又は網状部を有していてもよい（図示せず）。カバー２０の表面よりも下面側に突出して設けられた柵状部又は網状部が設けられることにより、照明装置１が体育館で使用された場合に、ボール等がカバー２０に直接ぶつかることを防止することができる。
【００７９】
（１−３）光源ユニットの取付方法
光源ユニットの取付方法を、図１１、図７を参照して説明する。
図１１に示すように、光源ユニット３０は、少なくとも電源部１６が取り付けられた光源ユニット支持部材１７に対してスライドさせて挿入される。なお、端子台カバー１８及び取付部材１９は、光源ユニット３０挿入後に取り付けてもよい。
【００８０】
上述のとおり、案内溝１５４は、放熱体１５の正面から背面に亘って一続きに形成されている（図７参照）。また、光源ユニット支持部材１７の突出部１７１ｄは、光源ユニット支持部材１７の正面から背面に亘って一続きに形成されている（図３参照）。このため、例えば放熱体１５の背面と光源ユニット支持部材１７の正面とを対面させ、案内溝１５４に突出部１７１ｄ及び突出部１６１ｂを係合させながら光源ユニット３０を光源ユニット支持部材１７の背面方向に押し込むことにより、光源ユニット３０はスライドして光源ユニット支持部材１７内に容易に配置される。光源ユニット３０は、光源ユニット支持部材１７内の所定の位置に配置されたのちにネジ止めされて光源ユニット支持部材１７に固定される。
【００８１】
（１−４）変形例
本開示の第１実施形態に係る照明装置１の光源ユニット支持部材１７の代わりに、例えば図１２に示す、光源ユニット３０がスライド方向に縦２列で挿入可能な光源ユニット支持部材６７を用いることができる。
図１２に示す光源ユニット支持部材６７において、照明装置１の光源ユニット支持部材１７と共通する部分には同一の符号を付し、説明を省略する。
光源ユニット支持部材６７は、光源ユニット支持部材６７の正面から背面方向に２個の光源ユニット３０を支持する本体部６７１と、光源ユニット支持部材６７と取付部材６９を接続するための一対の取付部材固定部１７２とを有している。
【００８２】
本体部６７１は、光源ユニット３０及び電源部１６の上面を覆う天板部６７１ａと、放熱体１５の放熱フィン１５２の形状に沿って傾斜する斜面部６７１ｂと、光源ユニット３０の側面と対向する側面部６７１ｃと、側面部１７１ｃの端部が照明装置１の内部方向に折り曲げられた突出部６７１ｄとを有している。
天板部６７１ａ、斜面部６７１ｂ、側面部６７１ｃ及び突出部６７１ｄは、縦方向の長さが２倍になった以外は光源ユニット支持部材１７の天板部１７１ａ、斜面部１７１ｂ、側面部１７１ｃ及び突出部１７１ｄと同様の構成を有し、同様の機能を発揮する。
【００８３】
また、取付部材６９は、光源ユニット支持部材６７の形状に合わせて、横板部６９１の長さが変わった以外は取付部材１９の横板部１９１と同様の構成を有し、同様の機能を発揮する。
光源ユニット支持部材６７に取り付けられる光源ユニット３０は、光源ユニット支持部材１７に取り付けられる光源ユニット３０と同一である。このため、光源ユニット３０は、光源ユニット３０の挿入方向に縦２列で並んだ状態で光源ユニット支持部材６７に支持される。
【００８４】
本開示の第１実施形態に係る照明装置は、光源ユニット支持部材及び取付部材の長さを変更し、挿入する光源ユニット３０の個数を変更させることで、大型の照明装置とすることができる。
【００８５】
［第１実施形態の効果］
以上説明した本開示の第１実施形態に係る照明装置によれば、以下の効果を得ることができる。
（１）電源部が光源の上部に設けられていないため、発光素子から発生する熱が伝導する放熱体における放熱が阻害されず、放熱性が向上する。
（２）放熱体の上部に電源部が配置されていないため、放熱体から放熱された熱により電源部が熱せられることがないため、安全性が高い。
【００８６】
（３）複数の放熱フィンが形成された放熱体において、発光素子が実装される発光素子実装領域と対向する位置に設けられた発光素子で発生した熱が伝わりやすい放熱フィンは、残余の放熱フィン（発光素子実装領域の周囲の領域と対向する位置に設けられた放熱フィン）よりも長く形成されている。発光素子実装領域と対向する位置に設けられた放熱フィンは、残余の放熱フィンよりも長く表面積が大きいため、発光素子の熱が効率的に放熱される。
（４）放熱体が電源部の側面との間に空間を設けて配置されているため、電源部で発生した熱が放熱体に伝わりにくくなり、高い熱が生じる発光素子の熱のみを効率的に放熱させることができる。
【００８７】
（５）放熱体が光源ユニット支持部材の内側表面と接触した状態で光源ユニット支持部材に固定されているため、表面積が広く照明装置の外部に露出している光源ユニット支持部材に放熱体に拡散した熱を逃がすことができ、放熱性がより向上する。
（６）光源ユニット支持部材及び電源部の突出部と光源ユニットの案内溝とを係合することにより、光源ユニットをスライドさせて光源ユニット支持部材内部に容易に配置することができる。このため、光源ユニットの取り付け作業が容易である。
【００８８】
（７）照明装置を天井に取り付けるための取付部材が、電源部の向きに沿って光源ユニット支持部材に固定されるため、放熱体の上部が覆われず放熱が阻害されない。また、照明装置の重心が安定する。
（８）端子台を覆う端子台カバーが設けられることにより、端子台に埃が付着することが防止される。
【００８９】
（９）電源部に含まれる回路基板に実装された電子部品が放熱性樹脂で覆われているため、発熱の多い電子部品の放熱性が向上するとともに、電子部品同士の絶縁性が確保される。
（１０）回路基板に実装された電子部品のうち、特に発熱の大きいコンデンサには、放熱シート及び放熱板等の電源ボックス等と接続された放熱部材を接触させる。これにより、コンデンサの放熱性を向上させる。
【００９０】
２．第２実施形態
本開示の第２実施形態に係る照明装置について、以下の図１３を参照して説明する。なお、図１３において、第１実施形態に係る照明装置１と共通する部分には同一の符号を付し、説明を省略する。
図１３は、第２実施形態に係る照明装置１００の外観を示す斜視図である。本開示の第２実施形態に係る照明装置１００は、第１実施形態に係る照明装置１の端子台１６２及び電力供給ケーブル１６７に代わって、外部に導出される電源ケーブル４１が設けられる点に特徴を有している。
これ以外の構成については第１実施形態の照明装置１と同様であるため、電源ケーブル４１及び電源ケーブル４１に関連する構成を中心に説明する。
【００９１】
電源ケーブル４１は、電源ケーブル４１に取り付けられたケーブルグランド４０によって光源ユニット支持部材１７に固定される。光源ユニット支持部材１７の天板部１７１ａは、孔部（図示せず）を有している。ケーブルグランド４０は、天板部１７１ａの孔部と対向する位置に固定される。
図１３に示すように、電源ケーブル４１は、２本の電線４１ａ，４１ｂと、電線４１ａ，４１ｂを被覆する被覆部４１ｃとを有している。電線４１ａ，４１ｂは、天板部１７１ａの孔部を介して回路基板１６３に接続される。また、電源ケーブル４１は、取付部材１９に設けられた孔部１９１ｂを通して引き回される。
【００９２】
［第２実施形態の効果］
以上説明した第２実施形態に係る照明装置によれば、第１実施形態に係る照明装置の（１）〜（７）、（９）及び（１０）に記載の効果に加えて、以下の効果を得ることがで
きる。
（１１）電源ケーブルの接続部分が照明装置１００の外部に露出しないため安全性が高くなる。
【００９３】
以上のように、上記実施形態の光源ユニット３０は、
矩形状をなす複数の発光素子１１と、
複数の発光素子１１がマトリクス状に実装された矩形状の発光素子基板１２と、
発光素子基板１２の発光素子１１が実装される面と反対側の面に設けられた放熱体１５と、
発光素子基板１２の複数の発光素子１１が実装される面において、複数の発光素子１１が実装された矩形状の発光素子実装領域Ｘを囲むように設けられ、複数の発光素子１１の主出射方向に対して広がる形状を有する反射部材１４と、
反射部材１４及び発光素子実装領域Ｘを覆うように設けられ透光性を有するカバー２０と、を備え、
発光素子１１の１個当たりの消費電力が０．１Ｗ以上、０．７Ｗ以下であり、
発光素子実装領域Ｘの長手方向の長さＬ２は、発光素子基板１２の長手方向の長さＬ１の８２％以下である。発光素子実装領域Ｘの短手方向の長さＬ４は、発光素子基板１２の短手方向の長さＬ３の５２％以下である。
【００９４】
このような範囲内に発光素子１１を敷き詰めることで、発光素子１１から出射した光のうち、発光素子１１から斜め方向に出射した光を効果的に反射部材１４で反射することができ、発光素子１１の主出射方向（図１４の紙面に垂直で手前に向く方向）側に効率的に光を導くことができる。つまり、光源ユニット３０を有する照明装置が、高天井（例えば、床面から５ｍ程度の天井）に設置されても、上記範囲外である場合に比べて、光の取り出し効率を高めることが可能となる。
【００９５】
上記実施形態では、発光素子１１の１個当たりの消費電力が０．１５Ｗ以上、０．５Ｗ以下である。
【００９６】
この構成によれば、光の取り出し効率の確保と、消費電力の抑制とを両立可能となる。
【００９７】
好ましい一実施形態として、発光素子１１の長手方向が発光素子基板１２の短手方向に沿って設けられ、且つ、発光素子１１の短手方向が発光素子基板１２の長手方向に沿って設けられることが挙げられる。
【００９８】
ムラのない均一な面発光を得るのに好ましい一実施形態として、複数の発光素子１１同士の短手方向の間隔は、複数の発光素子１１同士の長手方向の間隔より長いことが挙げられる。
【００９９】
ムラのない均一な面発光を得るのに好ましい一実施形態として、複数の発光素子１１の中心１１ａ同士の長手方向のピッチは、複数の発光素子１１の中心１１ａ同士の短手方向のピッチより長いことが挙げられる。
【０１００】
ムラのない均一な面発光を得るのに好ましい一実施形態として、複数の発光素子１１の形状は同一であることが挙げられる。
【０１０１】
好ましい一実施形態として、カバー２０は、透明であることが挙げられる。
【０１０２】
好ましい一実施形態として、カバー２０は、光拡散性を有することが挙げられる。
【０１０３】
上記実施形態の照明装置１は、上記光源ユニット３０を複数備え、複数の光源ユニット３０の間に設けられ、複数の発光素子１１に電力を供給する電源部１６を有する。
【０１０４】
この構成によれば、光の取り出し効率を向上させた照明装置を提供可能となる。
【０１０５】
［その他］
本開示の範囲は、図示され記載された例示的な実施形態に限定されるものではなく、本開示が目的とするものと均等な効果をもたらす全ての実施形態をも含む。さらに、本開示の範囲は、請求項により画される発明の特徴の組み合わせに限定されるものではなく、全ての開示されたそれぞれの特徴のうち特定の特徴のあらゆる所望する組み合わせによって画されうる。
【符号の説明】
【０１０６】
１、１００  照明装置
１１  発光素子
１２  発光素子基板
１４  反射部材
１５  放熱体
１６  電源部
２０  カバー
３０  光源ユニット
Ｘ    発光素子実装領域
【図１Ａ】
0006594895.tif 000002
【図１Ｂ】
0006594895.tif 000003
【図２Ａ】
0006594895.tif 000004
【図２Ｂ】
0006594895.tif 000005
【図２Ｃ】
0006594895.tif 000006
【図２Ｄ】
0006594895.tif 000007
【図２Ｅ】
0006594895.tif 000008
【図３】
0006594895.tif 000009
【図４】
0006594895.tif 000010
【図５】
0006594895.tif 000011
【図６】
0006594895.tif 000012
【図７】
0006594895.tif 000013
【図８】
0006594895.tif 000014
【図９】
0006594895.tif 000015
【図１０Ａ】
0006594895.tif 000016
【図１０Ｂ】
0006594895.tif 000017
【図１１】
0006594895.tif 000018
【図１２】
0006594895.tif 000019
【図１３】
0006594895.tif 000020
【図１４】
0006594895.tif 000021
【図１５Ａ】
0006594895.tif 000022
【図１５Ｂ】
0006594895.tif 000023